(57)【要約】【課題】簡易な構造で導光板を固定することができる表示装置等を提供する。【解決手段】表示装置は、正面に画像を表示する表示パネルと、該表示パネルの背面側に対向配置された導光板と、該導光板を収納する皿型の収納容器と、該収納容器の底板との間に前記導光板の周縁部を挟持するフレームとを備える。表示装置は、前記フレームと前記収納容器とは、一方に設けた係合爪を、他方に設けた係合部に係合させて固定してある。【選択図】図１
2019060968.tif 000002
【特許請求の範囲】
【請求項１】
正面に画像を表示する表示パネルと、
該表示パネルの背面側に対向配置された導光板と、
該導光板を収納する皿型の収納容器と、
該収納容器の底板との間に前記導光板の周縁部を挟持するフレームと
を備える表示装置において、
前記フレームと前記収納容器とは、一方に設けた係合爪を、他方に設けた係合部に係合させて固定してある
ことを特徴とする表示装置。
【請求項２】
前記収納容器の底板は、凹凸を有する内板と、内板の外側に重ねて固着された外板を備え、
前記外板に連設された前記収納容器の側板には、前記係合爪又は係合部が設けられている
ことを特徴とする請求項１に記載の表示装置。
【請求項３】
前記内板、外板及び側板は、金属製であり、
前記外板又は側板の板厚は、前記内板の板厚よりも薄くしてある
ことを特徴とする請求項２に記載の表示装置。
【請求項４】
前記収納容器の側板は、前記フレームの内側に配され、
前記係合爪は、前記フレームの内壁面から前記導光板に向かって突出して形成されており、
前記係合部は、前記側板に設けられた貫通孔である
ことを特徴とする請求項１から請求項３のいずれか一つに記載の表示装置。
【請求項５】
前記収納容器の側板は、前記フレームの内側に配され、
前記係合爪は、前記側板の端部を外側に折り返して形成されており、
前記係合部は、前記フレームの内壁面に設けられた凹部である
ことを特徴とする請求項１から請求項３のいずれか一つに記載の表示装置。
【請求項６】
請求項１から請求項５のいずれか１つに記載の表示装置と、
テレビジョン放送を受信する受信部と
を備え、
前記受信部で受信したテレビジョン放送に基づいて前記表示パネルに画像を表示するようにしてあることを特徴とするテレビジョン受信機。
【発明の詳細な説明】
【技術分野】
【０００１】
本発明は、表示装置及びテレビジョン受信機に関する。
【背景技術】
【０００２】
近年、画像を表示する表示装置として、液晶表示装置が広く普及している。液晶表示装置は、表示装置として液晶パネルを備え、液晶パネルの背面にバックライトを配置し、バックライトの発光を液晶パネルにより変調して透過させ、液晶パネルの正面に画像を表示するように構成されている。液晶表示装置においては、近年、消費電力の低減と薄型化とを併せて実現するために、ＬＥＤ（発光ダイオード）を光源とするエッジライト型のバックライトが多く採用されている。
【０００３】
エッジライト型のバックライトは、皿形の収納容器内に導光板及び光源を収納して構成されている。導光板は、アクリル等の透光性を有する樹脂製の平板であり、収納容器に収納されている（例えば、特許文献１参照）。
【先行技術文献】
【特許文献】
【０００４】
【特許文献１】特開２０１０−９７９２４号公報
【発明の概要】
【発明が解決しようとする課題】
【０００５】
導光板は、収納容器の底板上に載置され、該収納容器の開口側に被せたフレームにより周縁部を押さえ、収納容器とフレームとの間に挟持して固定されている。収納容器とフレームとは、周方向の複数箇所をねじ止めして固定されており、手間がかかり部品点数が多いという問題点がある。
【０００６】
本発明は、斯かる事情に鑑みてなされたものであり、簡易な構造で導光板を固定することができる表示装置等を提供することを目的とする。
【課題を解決するための手段】
【０００７】
本開示の実施形態に係る表示装置は、正面に画像を表示する表示パネルと、該表示パネルの背面側に対向配置された導光板と、該導光板を収納する皿型の収納容器と、該収納容器の底板との間に前記導光板の周縁部を挟持するフレームとを備える表示装置において、前記フレームと前記収納容器とは、一方に設けた係合爪を、他方に設けた係合部に係合させて固定してあることを特徴とする。
【発明の効果】
【０００８】
本発明によれば、簡易な構造で導光板を固定することができる表示装置等を提供することができる。
【図面の簡単な説明】
【０００９】
【図１】実施形態１に係る表示装置を略示する斜視図である。
【図２】表示装置を略示する側面図である。
【図３】収納容器の一構成例を略示する分解斜視図である。
【図４】図１のIII−III線による部分縦断面図である。
【図５】実施形態２に係る要部を略示する部分縦断面図である。
【図６】実施形態３に係る要部を略示する部分縦断面図である。
【図７】実施形態４に係る要部を略示する部分縦断面図である。
【図８】実施形態５に係る要部を略示する部分縦断面図である。
【図９】実施形態６に係る要部を略示する部分縦断面図である。
【図１０】実施形態７に係る要部を略示する部分縦断面図である。
【発明を実施するための形態】
【００１０】
（実施形態１）
以下、本発明の実施の形態について説明する。図１は、実施形態１に係る表示装置を略示する斜視図である。図２は、表示装置を略示する側面図である。表示装置は、画像表示用の表示パネルとして液晶パネル２を備えた液晶表示装置１である。液晶表示装置１は、該液晶パネル２に光を照射するバックライト４を備えている。
【００１１】
液晶パネル２は、矩形板状をなし、正面に画像を表示する表示部を備えている。液晶パネル２の背面側は、バックライト４の外筐を構成する収納容器４３により覆われている。収納容器４３は、液晶表示装置１の外装体を構成している。
【００１２】
図１に示す液晶表示装置１は、受信部９及び信号処理部１０を備えるテレビジョン受信機として構成されている。受信部９は、図示しないアンテナに接続され、該アンテナを介してテレビジョン放送を受信する。信号処理部１０は、受信部９が受信したテレビジョン放送に係るデータを復調し、復調したデータから画像データを分離し、分離した画像データを出力する。液晶パネル２は、信号処理部１０が出力した画像データに基づく画像を表示する。
【００１３】
液晶表示装置１は、脚７を備えている。液晶表示装置１は、脚７で支えられて平坦な台上に載置され、液晶パネル２の表示面を縦姿勢に保って使用される。以下の説明においては、液晶パネル２の表示面側を前、他面を後とする。また、以下の説明において使用する上、下は、前述した使用状態での上、下に対応し、同じく左、右は、使用状態において前側から見て左、右に対応する。
【００１４】
図３は、収納容器の一構成例を略示する分解斜視図である。図４は、図１のIII−III線による部分縦断面図である。この部分縦断面図には、液晶表示装置１の上下夫々の一部が示されている。バックライト４は、収納容器４３の内部に導光板４１を備えている。導光板４１は、ガラス製、又はアクリル樹脂等の透光性を有する樹脂製の平板であり、矩形に成形され、後面に反射シート４２が貼付けられている光学部材である。
【００１５】
収納容器４３は、底板を備え浅底皿形に成形された金属製の筐体である。図３に示すごとく、底板は、金属製の矩形の内板４３１と、内板４３１の後側に配された金属製の矩形の外板４３２を有する。
【００１６】
内板４３１は、凹凸を有している。内板４３１の凹部は、少なくとも上縁部を含む内板４３１の周縁部に設けられている。内板４３１の凹部は、図３に示すごとく、更に上下に亘ってＸ字状に形成され、強度リブとしても機能するようにしてあってもよい。内板４３１の凹部は、例えば、内板４３１を絞り加工することによって形成することがきる。
【００１７】
外板４３２の背面（後面）は、平坦な面をなし、液晶表示装置１の背面側の外装を構成する。外板４３２の長手方向の長さは、内板４３１の長手方向の長さよりも若干大きく設定してある。外板４３２の短手方向の長さは、内板４３１の短手方向の長さよりも、小さくしてある。
【００１８】
外板４３２の少なくとも上縁、左縁及び右縁には、夫々の縁を液晶パネル２側（前側）に向かって略垂直に立ち上げた短寸の側板４３３が連設されている。外板４３２又は側板４３３の板厚は、内板４３１の板厚よりも薄くしてある。側板４３３には、後述するフレーム５と係合するための貫通孔４３５（係合部）が設けられている。
【００１９】
内板４３１の凹部、すなわち外板４３２の側に向かって凹んでいる部分の後面と、外板４３２の前面との間には、両面テープ４３４が配され、両面テープ４３４によって内板４３１と外板４３２とを接着させ固着してある。内板４３１の凹部が形成されていない残部（凸部）は、導光板４１の後面と当接してある。なお、内板４３１と外板４３２との固着は、両面テープ４３４に限定されず、接着剤による接着又は溶着であってもよい。
【００２０】
外板４３２の上縁を内板４３１の上縁よりも若干上方になるように位置合わせし、外板４３２は内板４３１の少なくとも上部を背面から覆うように配されて、外板４３２と内板４３１とは固着してある。また、側板４３３は内板４３１の側部を上及び左右から覆うように配されて、外板４３２と内板４３１とは固着してある。外板４３２と内板４３１とを固着することによって、内板４３１の凹部が形成されていない残部（凸部）と、外板４３２との間には、隙間が形成される。外板４３２と内板４３１との間の隙間によって、収納容器４３の底板は、中空構造をなす。
【００２１】
バックライト４は、ＬＥＤ４５、及び一面にＬＥＤ４５を実装した光源基板４４を備えている。光源基板４４は、内板４３１の前面側に設けられたヒートスプレッタ８に固定され、ＬＥＤ４５の実装面を導光板４１の下縁に対向させて設けられている。光源基板４４は、導光板４１の下縁に対応する長さを有する長寸短冊状をなし、ＬＥＤ４５は、光源基板４４１の長手方向に複数並べて実装されている。ＬＥＤ４５が点灯することによって発生した熱は、ヒートスプレッタ８及び収納容器４３を介して、放熱される。ヒートスプレッタ８と導光板４１との間には、スペーサ１２が介装されている。
【００２２】
液晶表示装置１は、フレーム５を備える。フレーム５は、少なくとも液晶表示装置１の上縁、左縁及び右縁に設けられ、収納容器４３の対応する側板４３３夫々を側面から覆うように、側板４３３の外側に配されている。フレーム５は、収納容器４３の側板４３３の外面に対向する長寸短冊状の側壁と、側壁の長手方法の略全長に亘って側壁の内面から内側に向かって突出した突出板部を有した断面Ｔ字形状をなし、例えばアルミニウム等の金属製である。
【００２３】
フレーム５の側壁の内面（内壁面）には、内側に向かって突出して係合爪５１が形成してある。係合爪５１は、収納容器４３の側板４３３に設けられた貫通孔４３５の位置に対応して、設けられている。係合爪５１は、フレーム５の側壁の内面に対し、斜め方向に立ち上がるテーパ部と略垂直に立ち上がる垂直部を有し、テーパ部を垂直部よりも後側に位置させ、収納容器４３と係合した際に、垂直部と、側板４３３に設けられた貫通孔４３５の内周面とを当接させて、抜け止めするようにしてある。
【００２４】
導光板４１とフレーム５の突出板部との間には、光学シート群３が介装されている。フレーム５の係合爪５１と収納容器４３の側壁の貫通孔４３５とが係合することによって、フレーム５と収納容器４３との間に、光学シート群３及び導光板４１が挟持される。
【００２５】
液晶パネル２は、アレー基板とカラーフィルタ基板との間に液晶を封入し、これらの両面に偏光板を積層してなる公知の構成を有している。液晶パネル２は、ガラス製又はアクリル樹脂等の透明な樹脂製である。アレー基板とカラーフィルタ基板との間に封入された液晶は、液晶パネル２にリードを介して接続された液晶駆動基板１１によって駆動される。
【００２６】
液晶パネル２とフレーム５との間には、緩衝材１３が介装されている。緩衝材１３は、フレーム５及び液晶パネル２に当接する両面に接着層を設けた長寸短冊状をなし、フレーム５及び液晶パネル２とを接着固定する。
【００２７】
液晶表示装置１は、箱状のカバー６を備える。カバー６は、液晶表示装置１の下部側に配され、外板４３２で覆われていない内板４３１の残部を背面側から覆うように設けられている。
【００２８】
ＬＥＤ４５の発光は、光源基板４４に対向する下縁を経て導光板４１に入射し、導光板４１の内部で後面に被着した反射シート４２での全反射と前面での部分反射を繰り返して進行し、導光板４１の前面全体に分布して出射される。この出射光は、光学シート群３により拡散されて液晶パネル２の背面に照射され、液晶パネル２は、バックライト４からの出射光を内部に封入された液晶の駆動により変調して透過させ、前面に画像を表示する。
【００２９】
フレーム５の側壁に形成された係合爪５１と、収納容器４３の側板４３３に形成された貫通孔４３５とを係合させ、フレーム５の突出板部と収納容器４３の内板４３１とによって導光板４１を挟持することで、簡易な構造で導光板４１を固定することができる。
【００３０】
収納容器４３の底板は、凹凸を有する内板４３１に、外板４３２を重ねた構成とすることによって、内板４３１の凹凸及び底板の中空構造によって強度を確保しつつ、外板４３２が凹凸を覆い隠すことによって液晶表示装置１の美感を向上させることができる。
【００３１】
外板４３２又は側板４３３は、内板４３１よりも薄い金属製とすることで、外板４３２又は側板４３３の撓みを利用して確実にフレーム５と係合させることができる。
【００３２】
フレーム５の側壁の内面に形成された係合爪５１は、テーパ部と垂直部を有することによって、収納容器４３をフレーム５に係合する際は、テーパ部が側板４３３の先端部を案内し、係合した後は、垂直部が側板４３３の貫通孔４３５の内周面に係止することによって、抜け止めをすることができる。
【００３３】
（実施形態２）
図５は、実施形態２に係る要部を略示する部分縦断面図である。図５には、液晶パネル２、導光板４１、収納容器４３の上部及びフレーム５が示されている。収納容器４３は、実施形態１と同様に内板４３１、外板４３２及び側板４３３を有している。
【００３４】
内板４３１は、凹凸を有している。凹部、すなわち外板４３２に向かって凹んでいる部分は、内板４３１の周縁部よりも若干内側に形成されている。凹部と周縁（上縁）との間に介在する面は、導光板４１と当接している。内板４３１の周縁部は、外板４３２の方向に向かって折り曲げられた折り曲げ部が形成されている。
【００３５】
内板４３１に、凹部及び折り曲げ部を設けることによって、内板４３１の剛性を向上させることができる。
【００３６】
（実施形態３）
図６は、実施形態３に係る要部を略示する部分縦断面図である。図６には、液晶パネル２、導光板４１、収納容器４３の上部及びフレーム５が示されている。収納容器４３は、実施形態１と同様に内板４３１、外板４３２及び側板４３３を有している。
【００３７】
内板４３１は、周縁部に段落ちした面を有する。段落ちした部分の後面を外板４３２に、両面テープ４３４によって接着させ、内板４３１と外板４３２とは固着してある。内板４３１の肉厚は、導光板４１と外板４３２との隙間の大きさの半分以上に設定してある。
【００３８】
内板４３１の肉厚を導光板４１と外板４３２との隙間の大きさの半分以上とすることによって、内板４３１の剛性を向上させつつ、周縁部を段落ちさせた形状とすることで、簡素な構造とすることができる。
【００３９】
（実施形態４）
図７は、実施形態４に係る要部を略示する部分縦断面図である。図７には、液晶パネル２、導光板４１、収納容器４３の上部及びフレーム５が示されている。収納容器４３は、実施形態１と同様に内板４３１、外板４３２及び側板４３３を有している。
【００４０】
内板４３１の周縁部には、外板４３２の方向に向かって折り曲げられた折り曲げ部が形成されている。内板４３１と外板４３２との間には、肉厚の両面テープ４３４が設けられ、内板４３１と外板４３２とは接着され固着してある。
【００４１】
内板４３１に折り曲げ部を設けることによって、内板４３１の剛性を向上されることができる。
【００４２】
（実施形態５）
図８は、実施形態５に係る要部を略示する部分縦断面図である。図８には、液晶パネル２、導光板４１、収納容器４３の上部及びフレーム５が示されている。収納容器４３は、実施形態１と同様に内板４３１、外板４３２及び側板４３３を有している。
【００４３】
側板４３３は、フレーム５の内側に配されている。側板４３３は、端部を外側に折り返して形成された係合爪４３６を有している。フレーム５の側壁の内面（内壁面）には、凹部５２（係合部）が設けられている。フレーム５と収納容器４３を係合することによって、側板４３３の係合爪４３６の先端がフレーム５の凹部５２の角部に係止するように、係合爪４３６の長さは設定してある。側板４３３の係合爪４３６の先端がフレーム５の凹部５２の角部に係止することによって、収納容器４３がフレーム５から抜けることを防止するようにしてある。
【００４４】
収納容器４３に係合爪４３６を設け、フレーム５に係合部となる凹部５２を設けることで、簡易な構成で収納容器４３とフレーム５を係合することができる。
【００４５】
（実施形態６）
図９は、実施形態６に係る要部を略示する部分縦断面図である。図９には、液晶パネル２、導光板４１、収納容器４３の上部及びフレーム５が示されている。収納容器４３は、実施形態１と同様に内板４３１、外板４３２及び側板４３３を有している。
【００４６】
側板４３３は、フレーム５の内側に配されている。側板４３３は、端部を外側に折り返して形成された係合爪４３６を有している。フレーム５の側壁の内面（内壁面）には、貫通孔５３（係合部）が設けられている。フレーム５の側壁の外面には、切り欠き部か設けられてあり、切り欠き部及び貫通孔５３を覆うように、封止板５４が設けられている。側板４３３の係合爪４３６の先端が、貫通孔５３の内周面に係止するように、係合爪４３６の長さは設定してある。側板４３３の係合爪４３６の先端が貫通孔５３の内周面に係止することによって、収納容器４３がフレーム５から抜けることを防止するようにしてある。
【００４７】
収納容器４３に係合爪４３６を設け、フレーム５に係合部となる貫通孔５３を設けることで、簡易な構成で収納容器４３とフレーム５を係合しつつ、封止板５４によって、貫通孔５３を覆うことによって、液晶表示装置１の美感を向上させることができる。
【００４８】
（実施形態７）
図１０は、実施形態７に係る要部を略示する部分縦断面図である。この部分縦断面図には、実施形態１と同様に液晶表示装置１の上下夫々の一部が示されている。実施形態７は、液晶表示装置１の下部において、ヒートスプレッタ８が内板４３１の後面側に設けられている点で実施形態１と異なる。
【００４９】
内板４３１の前面の下縁部は、反射シート４２が貼付けられた導光板４１の後面に当接してある。内板４３１の下縁部よりも若干内側には、凹部が形成されている。この凹部の後面には、ヒートスプレッタ８の前面が当接してある。
【００５０】
液晶表示装置１の下部において、導光板４１に内板４３１を当接させ、内板４３１の後側にヒートスプレッタ８を配置することによって、スペーサ１２を不要とすることができる。
【００５１】
本開示の実施形態に係る表示装置１は、正面に画像を表示する表示パネル２と、該表示パネル２の背面側に対向配置された導光板４１と、該導光板４１を収納する皿型の収納容器４３と、該収納容器４３の底板との間に前記導光板４１の周縁部を挟持するフレーム５とを備える表示装置１において、前記フレーム５と前記収納容器４３とは、一方に設けた係合爪４３６，５１を、他方に設けた係合部４３５，５２に係合させて固定してあることを特徴とする。
【００５２】
本実施形態によれば、収納容器４３と前記フレーム５とは、一方に設けた係合爪４３６，５１を、他方に設けた係合部４３５，５２によって係合してあるので、簡易な構造で収納容器４３に収納された導光板４１を固定することができる。
【００５３】
本開示の実施形態に係る表示装置１は、前記収納容器４３の底板は、凹凸を有する内板４３１と、内板４３１の外側に重ねて固着された外板４３２を備え、前記外板４３２に連設された前記収納容器４３の側板４３３には、前記係合爪４３６又は係合部４３５が設けられていることを特徴とする。
【００５４】
本実施形態によれば、収納容器４３は、内板４３１及び外板４３２による二枚板構造とすることで、剛性を向上させることができる。内板４３１には、凹凸部が形成してあるため更に剛性を向上させることができる。外板４３２を、内面に固着することによって、外板４３２の凹部を覆い隠し、表示装置１の美観を向上させることができる。外板４３２に連設された側板４３３とフレーム５とを係合させることによって、簡易な構造で収納容器４３に収納された導光板４１を固定することができる。
【００５５】
本開示の実施形態に係る表示装置１は、前記内板４３１、外板４３２及び側板４３３は、金属製であり、前記外板４３２又は側板４３３の板厚は、前記内板４３１の板厚よりも薄くしてあることを特徴とする。
【００５６】
本実施形態によれば、内板４３１、外板４３２及び側板４３３は、金属製であり、外板４３２又は側板４３３の板厚は、内板４３１の板厚よりも薄くしてあるので、外板４３２又は側板４３３の撓みを利用して、確実にフレーム５と係合することができる。
【００５７】
本開示の実施形態に係る表示装置１は、前記収納容器４３の側板４３３は、前記フレーム５の内側に配され、前記係合爪５１は、前記フレーム５の内壁面から前記導光板４１に向かって突出して形成されており、前記係合部４３５は、前記側板４３３に設けられた貫通孔であることを特徴とする。
【００５８】
本実施形態によれば、フレーム５の内側に側板４３３を配し、フレーム５の内壁面から前記導光板４１に向かって突出して形成された係合爪５１を、側板４３３に設けられた貫通孔である係合部４３５に係合することによって、簡易な構造で収納容器４３とフレーム５とを固定することができる。
【００５９】
本開示の実施形態に係る表示装置１は、前記収納容器４３の側板４３３は、前記フレーム５の内側に配され、前記係合爪４３６は、前記側板４３３の端部を外側に折り返して形成されており、前記係合部５２は、前記フレーム５の内壁面に設けられた凹部であることを特徴とする。
【００６０】
本実施形態によれば、フレーム５の内側に側板４３３を配し、側板４３３の端部を外側に折り返して形成した係合爪４３６を、フレーム５の内壁面に設けられた凹部である係合部５２に係合することによって、簡易な構造で収納容器４３とフレーム５とを固定することができる。
【００６１】
本開示の実施形態に係るテレビジョン受信機は、本開示の実施形態に係る表示装置１と、テレビジョン放送を受信する受信部９とを備え、前記受信部９で受信したテレビジョン放送に基づいて前記表示パネル２に画像を表示するようにしてあることを特徴する。
【００６２】
本実施形態によれば、本実施形態によれば、上述の表示装置１を用いることにより、簡易な構成でフレーム５と収納容器４３とを固定してあるテレビジョン受信機を提供することができる。
【００６３】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００６４】
１  液晶表示装置
２  液晶パネル（表示パネル）
３  光学シート群
４  バックライト
４１  導光板
４２  反射シート
４３  収納容器
４３１  内板
４３２  外板
４３３  側板
４３４  両面テープ
４３５  貫通孔（係合部）
４３６  係合爪
４４  光源基板
４５  ＬＥＤ
５  フレーム
５１  係合爪
５２  凹部（係合部）
５３  貫通孔（係合部）
５４  封止板
６  カバー
７  脚
８  ヒートスプレッタ
９  受信部
１０  信号処理部
１１  液晶駆動基板
１２  スペーサ
１３  緩衝材
【図１】
2019060968.tif 000003
【図２】
2019060968.tif 000004
【図３】
2019060968.tif 000005
【図４】
2019060968.tif 000006
【図５】
2019060968.tif 000007
【図６】
2019060968.tif 000008
【図７】
2019060968.tif 000009
【図８】
2019060968.tif 000010
【図９】
2019060968.tif 000011
【図１０】
2019060968.tif 000012